(57)【要約】      （修正有）【課題】従来の電源ラインを形成するコンセントバーは、押し出し成形によるインサート成形で形成されており、高価な専用装置で製造していた。【解決手段】コンセントバー１であり、基材背面２ａと基材両側面２ｂとを備えた取付用基材２と、基材両側面２ｂの先端辺を鋭角に折曲させた係止辺２ｃと、基材背面２ａに合着させる装着用部材３の装着用背面３ａと、装着用背面３ａに延設した装着用両側面３ｂと、装着用両側面３ｂに延設した係止用凹溝部３ｃと、係止用凹溝部３ｃに延設した鍔部挿通用凹溝３ｄと、装着用背面３ａと係止用凹溝部３ｃとの内側に開口させた電極板挿通部３ｅと、電極板挿通部３ｅに挿入する電極板４とを備え、装着用部材３の電極板挿通部３ｅの長手方向の端部から電極板４を挿通させ、取付用基材２の長手方向の端部から装着用部材３を挿通させて組み立てたものである。【選択図】図１
2008171651.tif 000002
【特許請求の範囲】
【請求項１】
平坦状の基材背面と基材両側面とを備え横断面略コ字状の長さを有した取付用基材と、該取付用基材の基材両側面の先端辺を夫々相対させて鋭角に折曲させ開口部とする間隔を有して延設した夫々の係止辺と、前記取付用基材の基材背面の内側に合着させる長さを有した装着用部材の平坦状の装着用背面と、該装着用背面の両側辺に延設した前記取付用基材の基材両側面の内側に合着させる装着用両側面と、該装着用両側面の夫々の先端辺に延設した前記係止辺の内側に合着させるための夫々の係止用面を有した係止用凹溝部と、該夫々の係止用凹溝部に延設した電気機器取付具の鍔部を挿通させる横断面コ字状に内側に相対させて開口した夫々の鍔部挿通用凹溝と、前記装着用背面と前記両側の係止用凹溝部との夫々の内側に接点開口部を開口させた断面扁平Ｃ字状の夫々の電極板挿通部と、該夫々の電極板挿入部に挿入する３本の長さを有する電極板とを備え、前記装着用部材の夫々の電極板挿入部の長手方向の端部から夫々の電極板を挿通させ、前記取付用基材の長手方向の端部から前記装着用部材を挿通させて組み立てることにより、夫々の基材両側面が装着用部材の外方に変形することを防止し、夫々の係止辺が装着用部材の内方に変形することを防止する構造としたことを特徴とするコンセントバー。
【発明の詳細な説明】
【技術分野】
【０００１】
本発明は、天井等の高所に又はラックの内側等に配設して電源を得るコンセントバーに関するものであり、更に詳細には、長さを有しており長手方向の何処からでも且つ任意数の電気器具の電源を容易に取れるコンセントバーに関するものである。
【背景技術】
【０００２】
この種のコンセントバーは、室内のレイアウトの変更や、展示場や商店の店頭のような頻繁に展示物が変更され照明器具や各種電気機器の位置や数の変更が必要な時にも、容易に変更が可能で且つ任意数の電源を得られるので、各種開発されて使用されている。
【０００３】
従来のコンセントバーとしては、図５に図示したように、厚みが１ｍｍ程度のＳＰＣＣ（冷間圧延鋼材）を開口部に相対して鍔状に折曲させた断面略コ字状に形成した長さを有する心材と、電極とする長い３本の銅板とを、ＡＢＳ樹脂等の外装材で夫々の電極とする銅板の一部を内側の長手方向に露出するように被覆しているものであり、つまり、押し出し成形によるインサート成形が必要で、大がかりな専用設備により生産されており、汎用されている機械設備では生産が困難なもので、その為、コストも高いものと成っている実情である。
【０００４】
また、例えば、先に開示された一対の吊具４，５を金属製で形成し、低電圧の電源の一方極ずつを吊具４，５に印加する。一方の吊具４の金属製の吊金具７に低電圧ダクト１の一方の導体２に接触する接触片１０を形成する。他方の吊具５の金属製の吊金具８に低電圧ダクト１の一方の導体３に接触する接触片１１を形成する。一対の吊具４，５で低電圧ダクト１を吊設すると共に、電源を供給するもの（特許文献１参照）や、複数の導体５がそれぞれダクト本体４の巾方向の外側を向き且つ複数の導体５のうちいずれかが他方に対して逆方向となるようにダクト本体４内の巾方向の中間部に配置する。プラグ７に設けた複数の栓刃６をダクト本体４の巾方向の内側に突出すると共に複数の栓刃６のうちいずれかが他方に対して逆方向となるようにするもの（特許文献２参照）や、コネクタ付ケーブル１２は、ケーブル導体２１に接続された接触端子１８、接触端子１８を接触部１８ａが側方に突出した状態で収容するハウジング１９、外郭部１３のスリット状開口部１３ｂを覆う絶縁カバー２０とから構成する。ハウジング１９に収容された接触端子１８を、外郭部１３のスリット状開口部１３ｂから外郭部１３内に挿入して接触端子１８の接触部１８ａを電源導体１４の任意の位置に接触させて電源ライン１１とコネクタ付ケーブル１２とを電気的に接続させた後、絶縁カバー２０を外郭部１３のスリット状開口部１３ｂに被せてスリット状開口部１３ｂを塞ぐもの（特許文献３参照）がある。
【特許文献１】実開平５−１８２２０号公報
【特許文献２】特開２００３−１５１７０３号公報
【特許文献３】特開２００５−５７８６６号公報
【発明の開示】
【発明が解決しようとする課題】
【０００５】
然し乍ら、特許文献１〜３に開示のものは、いずれもこの種のコンセントバーに電源ラインを形成する構造に関するものであり、コンセントバーそのものは従来と同様に押し出し成形によるインサート成形で形成されているものである。
【課題を解決するための手段】
【０００６】
本発明のコンセントバーは、前述の課題に鑑み、鋭意研鑽の結果、基材背面と基材両側面とを備え長さを有した取付用基材と、取付用基材の基材両側面の先端辺を鋭角に折曲させ開口部とする間隔を有して延設した係止辺と、取付用基材の基材背面の内側に合着させる装着用部材の平坦状の装着用背面と、装着用背面に延設した取付用基材の基材両側面に合着させる装着用両側面と、装着用両側面の先端辺に延設した係止辺に合着させるための係止用面を有した係止用凹溝部と、係止用凹溝部に延設した電気機器取付具の鍔部を挿通させる内側に開口させた鍔部挿通用凹溝と、装着用背面と両側の係止用凹溝部とに接点開口部を開口させた電極板挿通部と、電極板挿入部に挿入する３本の電極板とを備え、装着用部材の電極板挿入部の端部から電極板を挿通させ、取付用基材の端部から装着用部材を挿通させて組み立てる構造としたものである。
【発明の効果】
【０００７】
本発明のコンセントバーは、その都度変わる展示場や商店の店頭、室内のレイアウトの変更により、照明器具や各種電気機器の位置や数の変更が容易に可能なもので、更に、任意数の電源を得られるものであり、その製造と組立とを容易とするもので、冷間圧延合板等の金属板を板金加工等の手段により長さを有する取付用基材を形成し、塩化ビニル樹脂等の合成樹脂で装着用部材を押し出し成形等の手段で取付用基材と同長に形成し、３本の取付用基材と同長の銅又は黄銅製の電極板とを備え、長手方向の端部から夫々を挿通させることで容易に組み立てることのできる構造のものであり、夫々を単品毎に製造することから、汎用されている製造装置により容易に形成でき組立も容易なもので、更に、合成樹脂で形成された装着用部材の変形も防止できるものであり、画期的で実用性の高い発明である。
【発明を実施するための最良の形態】
【０００８】
以下、本発明のコンセントバーを実施例の図面によって具体的に説明すると、図１は本発明のコンセントバーの実施例の組み立てた状態の概要断面図であり、図２は本発明のコンセントバーの実施例の取付用基材の概要断面図であり、図３は本発明のコンセントバーの実施例の装着用部材の概要断面図であり、図４は本発明のコンセントバーの実施例の電極板の概要断面図であり、図５は従来のコンセントバーの概要断面図である。
【０００９】
本発明は、天井等の高所に又はラックの内側等に配設して電源を得るコンセントバー１に関するものであり、更に詳細には、長さを有しており長手方向の何処からでも且つ任意数の電気器具に容易に電源を取れるコンセントバー１に関するものであり、平坦状の基材背面２ａと基材両側面２ｂとを備え横断面略コ字状の長さを有した取付用基材２と、該取付用基材２の基材両側面２ｂの先端辺を夫々相対させて鋭角に折曲させ開口部とする間隔を有して延設した夫々の係止辺２ｃと、前記取付用基材２の基材背面２ａの内側に合着させる長さを有した装着用部材３の平坦状の装着用背面３ａと、該装着用背面３ａの両側辺に延設した前記取付用基材２の基材両側面２ｂの内側に合着させる装着用両側面３ｂと、該装着用両側面３ｂの夫々の先端辺に延設した前記係止辺２ｃの内側に合着させるための夫々の係止用面を有した係止用凹溝部３ｃと、該夫々の係止用凹溝部３ｃに延設した電気機器取付具の鍔部を挿通させる横断面コ字状に内側に相対させて開口した夫々の鍔部挿通用凹溝３ｄと、前記装着用背面３ａと前記両側の係止用凹溝部３ｃとの夫々の内側に接点開口部を開口させた断面扁平Ｃ字状の夫々の電極板挿通部３ｅと、該夫々の電極板挿通部３ｅに挿入する３本の長さを有する電極板４とを備え、前記装着用部材３の夫々の電極板挿通部３ｅの長手方向の端部から夫々の電極板４を挿通させ、前記取付用基材２の長手方向の端部から前記装着用部材３を挿通させて組み立てることにより、夫々の基材両側面２ｂが装着用部材３の外方に変形することを防止し、夫々の係止辺２ｃが装着用部材３の内方に変形することを防止する構造としたことを特徴とするものである。
【実施例】
【００１０】
即ち、本発明のコンセントバー１は、取付用基材２と装着用部材３と３枚の電極板４から成り、長さは同じ長さの０．９〜１．８ｍ、又は、１〜２ｍに形成するものであるが、その長さは特には限定はしないものであり、２組のコンセントバー１を接続部材で接続させて直線状又は直角状に展設することも、３組のコンセントバー１を接続部材で接続させて放射状に３方向に、４組のコンセントバー１を接続部材で接続させて放射状に４方向（十字状）に展設することも可能なものである。
【００１１】
そして、取付用基材２は冷間圧延合板（ＳＰＣＣ）による板金加工品が好適なものであるが、メッキ剛板や樹脂コートした剛板、または、アルミニウムの押出成型品でも構わないものであり、図２に図示する如く、長さを有し平坦状の基材背面２ａと基材両側面２ｂとを備えた横断面略コ字状のもので、後述する係止辺２ｃを基材両側面２ｂの夫々の先端辺に延設しているものである。
【００１２】
次に、係止辺２ｃは、取付用基材２の基材両側面２ｂの先端辺の長手方向を夫々相対させて実施例では６０°の鋭角に折曲させて延設しており、夫々の係止辺２ｃの先端辺の間隔は開口部とするものであり、後述する装着用部材３の夫々の係止用凹溝部３ｃに挿通して係止用面に下方からしっかりと固定させ装着用部材３の内側に変形するのを防止するものである。
【００１３】
次いで、装着用部材３は、取付用基材２と同じ長さのもので、硬質の塩化ビニル樹脂（ＰＶＣ）等で押し出し成形するものであり、装着用背面３ａは、平坦状で取付用基材２の基材背面２ａの内側に合着させるものである。
【００１４】
更に、装着用両側面３ｂは、装着用背面３ａの長手方向の両側辺の直角方向に延設し、取付用基材２の基材両側面２ｂの内側に合着させるもので、夫々の基材両側面２ｂは装着用部材３が外側に変形するのを防止するものであり、先端辺には後述する係止用凹溝部３ｃを延設するものである。
【００１５】
更には、係止用凹溝部３ｃは、装着用両側面３ｂの夫々の先端辺に延設したもので、夫々の係止辺２ｃの内側に合着させる夫々の係止用面を有しており、夫々外方に凹溝が形成され、凹溝には係止辺２ｃが挿通されるものである。
【００１６】
また、鍔部挿通用凹溝３ｄは、夫々の係止用凹溝部３ｃに逆向きに、つまり、夫々横断面コ字状に開口を内側に向けて延設しているもので、使用する電気機器の電源を取るための、電気機器取付具の鍔部を挿通させるものである。
【００１７】
次いで、電極板挿通部３ｅは、装着用部材３の装着用背面３ａの中央辺と両側の係止用凹溝部３ｃとの３ヵ所の夫々内側に形成している扁平した断面Ｃ字状のもので、後述する電極板４を夫々挿通させるものであり、夫々の電極板４と電気機器取付具の電極を接触させるために全長にわたって夫々開口部を開口させているものである。
【００１８】
更に、電極板４は、３本必要なものであり、装着用部材３と同じ長さのもので、図４に図示する如く、銅製又は黄銅製の板状のものであり、夫々の電極板挿通部３ｅに挿入させるもので、装着用背面３ａの内側に形成した電極板挿通部３ｅには、厚さが稍薄く巾の稍広い電極板４を用いて、両側の係止用凹溝部３ｃの内側に形成した電極板挿通部３ｅには、厚みのある巾の狭い電極板４を用いるものである。
【００１９】
更には、装着用部材３の夫々の電極板挿通部３ｅの長手方向の端部から夫々の電極板４を挿通させると共に、取付用基材２の長手方向の端部から装着用部材３を挿通させて組み立てる構造としたもので、夫々のパーツを挿通するだけで組立を容易にできるものである。
【００２０】
そして、本発明のコンセントバー１を配設するのは、夫々の電極板４を商業電源と電気的に接続すると共に、取付用基材２をビス等により天井や、吊り下げ具の下面に固定するものであり、両端は絶縁性のカバーを嵌着させるものである。
【産業上の利用可能性】
【００２１】
本発明のコンセントバーは、その都度変わる展示場や商店の店頭、室内のレイアウトの変更により、照明器具や各種電気機器の位置や数の変更が容易に可能なもので、更に、任意数の電源を得られるものであり、その製造と組立とを容易とするもので、冷間圧延合板等の金属板を板金加工等の手段により長さを有する取付用基材を形成し、塩化ビニル樹脂等の合成樹脂で装着用部材を押し出し成形等の手段で取付用基材と同長に形成し、３本の取付用基材と同長の銅製の電極板とを備え、長手方向の端部から夫々を挿通させることで容易に組み立てることのできる構造のものであり、夫々を単品毎に製造することから、汎用されている製造装置により容易に形成でき組立も容易で、合成樹脂で形成された装着用部材の変形も防止できるコンセントバーを提供するものである。
【図面の簡単な説明】
【００２２】
【図１】図１は本発明のコンセントバーの実施例の組み立てた状態の概要断面図である。
【図２】図２は本発明のコンセントバーの実施例の取付用基材の概要断面図である。
【図３】図３は本発明のコンセントバーの実施例の装着用部材の概要断面図である。
【図４】図４は本発明のコンセントバーの実施例の電極板の概要断面図である。
【図５】図５は従来のコンセントバーの概要断面図である。
【符号の説明】
【００２３】
１      コンセントバー
２      取付用基材
２ａ    基材背面
２ｂ    基材両側面
２ｃ    係止辺
３      装着用部材
３ａ    装着用背面
３ｂ    装着用両側面
３ｃ    係止用凹溝部
３ｄ    鍔部挿通用凹溝
３ｅ    電極板挿通部
４      電極板
【図１】
2008171651.tif 000003
【図２】
2008171651.tif 000004
【図３】
2008171651.tif 000005
【図４】
2008171651.tif 000006
【図５】
2008171651.tif 000007